(57)【要約】      （修正有）【課題】体型補整機能と装飾性を付加する失禁ショーツを提供する。【解決手段】前身頃部１１、後身頃部１２及びこれら両者間に位置するクロッチ部を有するショーツ本体及び前記クロッチ部の肌対向面側に縫合される吸水シートより成る失禁ショーツにおいて、ウエスト開口部２１に伸縮性を有するレース生地１６を縫合し、両側のレッグ開口部１４、臀部及び下腹部２３に至る部位に伸縮性を有する幅広レース生地１７を縫合し、前身頃部１１および後身頃部１２を伸縮性を有する生地で形成し、後身頃部１２における着用者のヒップ下部対向面側を二重に形成し、更に吸収シートを前身頃側に長尺に設けると共に、前身頃側先端を身生地に縫合せずに構成した。【選択図】図１
0003188182.tif 000002
【実用新案登録請求の範囲】
【請求項１】
前身頃部、後身頃部及びこれら両者間に位置するクロッチ部を有するショーツ本体及び前記クロッチ部の肌対向面側に縫合される吸水シートより成る失禁ショーツにおいて、
ウエスト開口部に伸縮性を有するレース生地を縫合したこと、
両側の脚口周り、臀部及び下腹部に至る部位に伸縮性を有する幅広レース生地を縫合したこと、
前身頃部および後身頃部を伸縮性を有する生地で形成したこと、
後身頃部における着用者のヒップ下部対向面側を二重に形成したこと、
を特徴とする体型補正機能を有する失禁ショーツ。
【請求項２】
吸収シートを前身頃側に長尺に設けると共に、前身頃側先端を身生地に縫合しないことを特徴とする請求項１記載の体型補正機能を有する失禁ショーツ。
【請求項３】
吸収シートのシートの長手方向長さを１２〜２０センチメートルに設定した請求項２に記載の体型補正機能を有する失禁ショーツ。
【考案の詳細な説明】
【技術分野】
【０００１】
本考案は、女性用失禁ショーツに関し、より詳しくは体型補正機能を併せ持つ失禁ショーツに関する。
【背景技術】
【０００２】
従来の失禁ショーツは、前身頃、後身頃、及び前身頃と後見頃との間に位置するクロッチ部を有し、クロッチ部に吸収シートを縫合して成るものである。
【０００３】
また、従来のガードルは、体型補正機能を付与するため、緊迫力を大きくしたい部分に、適宜の当て布を衣類本体生地の裏側または表側から当てがうことが行われている。
【０００４】
特許文献１には緊迫力の大小の境界領域に、緊迫力の急激な変化を緩和する緩衝領域として機能できる意匠柄模様が編み込まれたガードル的機能を有するショーツが開示されている。
【０００５】
特許文献２には帯状の布をリング状に形成したベルト部をウエスト開口部に設けると共に、ベルト部の前部と後部を股下を通るように帯状の布で連結したガードル的機能を有するショーツが開示されている。
【先行技術文献】
【特許文献】
【０００６】
【特許文献１】特開２００３−１３８４０３号公報
【特許文献２】登録実用新案公報第３１５３９４９号
【考案の概要】
【考案が解決しようとする課題】
【０００７】
従来、年配者向けの実用商品としてのみ考えられがちだった失禁ショーツに、体型補整機能と装飾性を付加することを目的とする。
【課題を解決するための手段】
【０００８】
上記の目的を達成する本考案の構成は次の通りである。
【０００９】
（１）  請求項１に記載の考案は、前身頃部、後身頃部及びこれら両者間に位置するクロッチ部を有するショーツ本体及び前記クロッチ部の肌対向面側に縫合される吸水シートより成る失禁ショーツにおいて、ウエスト開口部に伸縮性を有するレース生地を縫合し、両側のレッグ開口部、臀部及び下腹部に至る部位に伸縮性を有する幅広レース生地を縫合し、前身頃部および後身頃部を伸縮性を有する生地で形成し、後身頃部における着用者のヒップ下部対向面側を二重に形成して構成した。
【００１０】
（２）  請求項２に記載の考案は、請求項１記載の失禁ショーツにおいて、吸収シートを前身頃側に長尺に設けると共に、前身頃側先端を身生地に縫合せずに構成した。
【００１１】
（３）  請求項３に記載の考案は、請求項２記載の失禁ショーツにおいて、吸収シートのシートの長手方向長さを１２〜２０センチメートルに構成した。
【考案の効果】
【００１２】
上記のように構成される本考案が、如何に作用して課題を解決するかを図面を参照しながら概説する。
【００１３】
図１に示されるように本考案にかかる体型補正機能を有する失禁ショーツ１０（以下、失禁ショーツと称する）は、ウエスト開口部２１にレース生地１６が、両側のレッグ開口部１４・臀部２２及び下腹部２３に至る部位にレース生地１７が縫合されており、装飾性に富むものと成り、体型補正機能のみならず美しさも併せ持つものと成る。
【００１４】
また、前身頃１１及び後身頃１２より成る身生地２０及びレース生地１６・１７が伸縮性のある素材を使用してあることから、体型補正機能を有し、更には、吸水シート１８が尿を吸収して重くなっても、失禁ショーツ１０が下方にズレることを防止することが可能となる。
【００１５】
図４に示されるように、後身頃１２における着用者のヒップ下部対向面側に二重部位１８を形成しており、また、図１、図２に示されるように、レッグ開口部１４、臀部２２及び下腹部２３に至る部位に伸縮性を有する幅広なレース生地１７を用いてあることから、体の姿勢や動きにかかわらず安定して支持し、吸水シート１８が必要部位に位置するというショーツ本来の安定感、安心感を着用者が得ることが可能となる。
【００１６】
また、本考案にかかる失禁ショーツ１０は、吸水シート１８を前身頃側に長尺に設けてあることから、様々な女性の身体形状に対応可能となるものである。
【００１７】
更には、吸水シート１８の前身頃側先端を身生地１９に縫合していないことから、吸水シート１８の先端が縫い目で折れ曲がることを防止でき、つまりは、吸水シート１８が着用者の身体に添いやすくなり、漏れを可及的に防止できるとともに、外部から吸水シート１８の存在を視認できにくくすることが可能となり、見た目の美しさを得ることが可能となるのである。
【図面の簡単な説明】
【００１８】
【図１】本考案の正面図
【図２】同、背面図
【図３】身生地の正面図
【図４】同、展開図
【考案を実施するための形態】
【００１９】
以下、好ましい考案の一実施形態につき、図面を参照しながら概説する。なお、本考案の実施の形態は、下記の実施形態に何ら限定されることはなく、本考案の技術的範囲に属する限り種々の形態を採りうる。
【００２０】
本考案にかかる失禁ショーツ１０は、縫製により前身頃１１及び後身頃１２より成る身生地２０を形成すると共に、着用者の陰部に対向する部位近傍であるクロッチ部１３に吸水シート１８を縫合し、更には身生地２０のウエスト開口部２１及び両側のレッグ開口部１４・臀部２２及び下腹部２３に至る部位にレース生地１６・１７を縫合して構成した。以下、詳述する。
【００２１】
前身頃１１及び後身頃１２よりなる身生地２０は、図３、図４に示すように前身頃１１、後身頃１２、及び前身頃１１と後見頃１２との間に位置するクロッチ部１３を有し、前身頃１１の両側縁部と後見頃１２の両側縁部とが互いに縫合されると共に、前身頃１１の下縁部及び後身頃１２の下縁部を互いに縫合して、ウエスト開口部２１及び一対のレッグ開口部１４，１４が形成されている。図中１５のラインが前身頃１１の両側縁部と後見頃１２の両側縁部の縫合部位であり、２４のラインが前身頃１１の下縁部及び後身頃１２の下縁部の縫合部位である。
【００２２】
また、後身頃１２の両側縁部から下端縁部（着用者のヒップ下部対向面側）に至る部位は布地を二重に重ねて縫合した二重部位１９が形成してある。
【００２３】
身生地２０は、フィット感を与えるため、伸縮性のあるものが使われ、綿主体のものでは、綿ポリウレタン混紡のストレッチ天竺、フライス、リブなどが使われる。よりデザイン性の高いものでは、ツーウェイトリコット、サポート性を高めたものでは、パワーネットなどが使用される。
【００２４】
図１、図２に示すように、ウエスト開口部２１周りにはレース生地１６が、レッグ開口部１４、臀部２２及び下腹部２３に至る部位には幅広のレース生地１７が縫合されている。ここに臀部２２とは着用者の臀部に対向する部位を指し、下腹部２３とは着用者の下腹部に対向する部位を指す。
【００２５】
レース生地１６・１７は伸縮性を有するレース編地を使用しており、具体的には経編編成による場合には、地編の基本組織を、鎖編糸と挿入糸によるサテン編、プレーンコード編、デンビ編、チュール編あるいはメッシュ調の編組織にして、ポリウレタン繊維等のスパンデックス糸その他の伸縮性糸を挿入して編成することにより、編地全体に比較的大きな伸長性や伸縮性を付与することが可能である。その他、任意の伸縮性を付与する編成方法を使用できる。
【００２６】
また、レース生地１７は幅広に形成されており、具体的には上下方向の幅、すなわち図１における幅Ｈは、概ね１０〜１４ｃｍ程度に設けてある。
【００２７】
吸水シート１８は図４に示すように、前身頃１１下端縁部と後身頃１２の下端縁部を縫合した部位近傍を指すクロッチ部１３に縫合されるものである。縫合部位は図４における後身頃１２側上縁部及び両側縁部であり、前身頃１１側下縁部は身生地２０に縫合されていない。また、吸水シート１８の上縁から下縁に至る長手方向長さは、従来の失禁ショーツに装備される吸水シートに比べ６ｃｍ程度前身頃側１１側に延長してあり、具体的には１２〜２０ｃｍの間に形成してある。
【００２８】
吸水シート１８は、装着時に身体の肌側となる側に液体吸収放出性を有するメッシュ生地を設け、装着時に身体の外側となる側に防水布を設け、該メッシュ生地と該防水布との間に液体吸収性ポリマー層を設けて構成してある。
【符号の説明】
【００２９】
１０・・失禁ショーツ    １１・・前見頃          １２・・後身頃
１３・・クロッチ部      １４・・レッグ開口部    １５・・合わせ部
１６・・レース生地      １７・・レース生地      １８・・吸水シート
１９・・二重部位        ２０・・身生地          ２１・・ウエスト開口部
２２・・臀部            ２３・・下腹部          ２４・・合わせ部
【図１】
0003188182.tif 000003
【図２】
0003188182.tif 000004
【図３】
0003188182.tif 000005
【図４】
0003188182.tif 000006